(57)【特許請求の範囲】
【請求項１】
送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成した空気調和機において、
前記吹出口の近傍で前記空気循環通路と分岐する第２通路を設け、該第２通路に臨むようにイオンを発生するイオン発生装置を配設し、前記第２通路に空気を取り入れる空気取入口を異物が侵入しない程度の大きさの開口とするとともに、前記イオン発生装置のイオン発生部と対向する部分に遮蔽部を備えたことを特徴とする空気調和機。
【請求項２】
前記イオン発生装置のイオン発生部は前記第２通路に臨むように配設し、
前記第２通路に空気を取り入れる前記空気取入口を、異物が侵入しない程度の大きさを有し、且つ空気循環通路を空気が流れる方向に対して平行な複数のスリットにより構成したことを特徴とする請求項１に記載の空気調和機。
【請求項３】
前記第２通路から空気を送出する空気送出口を異物が侵入しない程度の大きさの開口としたことを特徴とする請求項１または請求項２に記載の空気調和機。
【請求項４】
前記空気取入口は、空気循環通路の空気の流れと略平行に配置されることを特徴とする請求項３に記載の空気調和機。
【請求項５】
前記空気送出口は、空気循環通路の空気の流れに対して、所定の角度、傾斜して設けられていることを特徴とする請求項３に記載の空気調和機。
【請求項６】
前記遮蔽部は上流側に配置された空気取入口と、前記遮蔽部の下流側に配置された空気吹出口を備えるカバーにより、空気循環通路と分岐するものとしたことを特徴とする請求項１に記載の空気調和機。
【請求項７】
送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成するとともに、吹出口から吹出される風向を変更するための複数のルーバーを備えた空気調和機において、
前記複数のルーバーを一度の動作で前記空気調和機から取り外し可能とするために、前記複数のルーバーを一体的に保持するルーバー装着部を、前記吹出口に着脱自在に形成し、
前記吹出口の近傍には、前記空気循環通路を分岐して設けられる第２通路と、該第２通路に臨んで配置されるイオンを発生するイオン発生装置とを設け、
前記第２通路は、前記第２通路と前記空気循環通路を離間するとともに前記イオン発生装置のイオン発生部と対向する部分に設けられた遮蔽部と、該遮蔽部より空気の流れの上流側に設けられ且つ異物が侵入しない程度の大きさの開口からなる空気取入口と、遮蔽部より空気の流れの下流側に設けられ且つ異物が侵入しない程度の大きさの開口からなる空気送出口とを備えるカバーによって前記空気循環通路と離間するものとし、
前記ルーバー装着部の前記カバーに対向する個所は、遮蔽部、空気取入口及び空気送出口に対応する形状とし、
前記ルーバー装着部を取り外した状態においても、前記カバーは取付けられた状態で保持されることを特徴とする空気調和機。
【発明の詳細な説明】
【０００１】
【産業上の利用分野】
本発明は、イオン発生装置を備えた空気調和機に関するものである。
【０００２】
【従来の技術】
従来のイオン発生装置を備えた空気清浄機にはマイナスイオン発生機を備えたものがあるが、その発生方式は直流高電圧式であり、マイナスイオンのみを発生させているものである。このマイナスイオンには、人の自律神経を鎮静化させるリラックス効果が認められている。
【０００３】
一般に、事務所、会議室、家庭内などのように人が多く、且つ換気が少ない密閉化された部屋では、呼吸と共に排出される二酸化炭素や、タバコの煙、ホコリなど汚染微粒子が増加するとともに、マイナスイオンが減少する傾向にある。
【０００４】
特にタバコを喫煙した場合はマイナスイオン量は大きく低下し、室外空気に含まれる量の１／２〜１／５程度となる傾向が見られるが、このような状況下に、上記のような空気清浄機を使用して部屋の空気にマイナスイオンを付加した場合は、マイナスイオンの増加に伴ってリラックス効果はある程度期待できる。
【０００５】
また、他の従来の空気清浄機には、部屋の空気を吸引してフィルターにより汚染物質を吸着もしくは分解するフィルターが用いられるものがある。これによると、空気中に浮遊しているホコリのような汚染微粒子を吸着又は分解して除去することは可能である。
【０００６】
しかし、上記の従来の空気清浄機の何れの例においても、空気中に浮遊する浮遊細菌については問題視されておらず、マイナスイオンによっては浮遊細菌は死滅するようなことはなく、フィルターによってはある程度の浮遊細菌の吸着は可能であるが、あくまでフィルターに吸着されるにとどまり、部屋に広く分布する浮遊細菌を殺菌するようなことは不可能であった。
【０００７】
【発明が解決しようとする課題】
かかる状況に鑑み、鋭意研究を重ねた結果、空気中にプラスイオンとしてのＨ+（Ｈ2Ｏ）n（以下、ｎは任意の自然数を示し、単にプラスイオンと記載した場合はＨ+（Ｈ2Ｏ）nを云うものとする）と、マイナスイオンとしてのＯ2−（Ｈ2Ｏ）m（以下、ｍは任意の自然数を示し、単にマイナスイオンと記載した場合はＯ2−（Ｈ2Ｏ）mを云うものとする）をともに１万個／ｃｃ以上存在させることにより、空気中に含まれている浮遊細菌が効果的に殺菌できることを見出した。
【０００８】
このプラスイオンとマイナスイオンをともに発生させる手段としては、一例として、対向する一対の電極に所定の電圧及び周波数の交流電圧を印加するイオン発生装置（以下、プラスイオンとマイナスイオンをともに発生させる装置をイオン発生装置と称する）があり、当該イオン発生装置を例えば空気清浄機やエアーコンディショナーといった室内に風を発生させる送風機を備えるものに装着し、前記送風機による送風によって室内にプラスイオン及びマイナスイオンを飛散させると、室内の存在している浮遊細菌を殺菌することができる。
【０００９】
ここで、プラスイオン及びマイナスイオンには寿命がある。従って、エアーコンディショナーに上記イオン発生装置を装着する場合には、プラスイオン及びマイナスイオンを含んだ空気がなるべく早く本体より放出するような位置に配置すること好ましい。
【００１０】
そのため、エアーコンディショナーの吹出口近傍にイオン発生装置を形設することになるが、この場合はイオン発生装置に対して吹出口から異物が混入する場合や接触・破損の虞があるといった問題があった。また、イオン発生装置は高電圧を使用するため、使用者がイオン発生装置のイオン発生部に触れることがないようにする必要もある。
【００１１】
本発明は、上記にような課題を解消するためになされたもので、イオン発生装置に異物が侵入せず、空気中の浮遊細菌を除去する空気調和機を提供するものである。
【００１２】
【課題を解決するための手段】
上記の問題解決するために本発明は、送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成した空気調和機において、前記吹出口の近傍で前記空気循環通路と分岐する第２通路を設け、該第２通路にイオンを発生するイオン発生装置を配設し、前記第２通路は、前記イオン発生装置のイオン発生部と対向する部分に遮蔽部を備える。
【００１３】
そして、本発明は、前記イオン発生装置のイオン発生部は前記第２通路に臨むように配設するとともに、前記第２通路に空気を取り入れる空気取入口を異物が侵入しない程度の大きさの開口とする。
【００１４】
さらに、本発明は、前記イオン発生装置のイオン発生部は前記第２通路に臨むように配設し、前記第２通路に空気を取り入れる空気取入口を、異物が侵入しない程度の大きさを有し、且つ空気循環通路を空気が流れる方向に対して平行な複数のスリットにより構成するものとする。
【００１５】
また、本発明は、前記第２通路から空気を送出する空気送出口を異物が侵入しない程度の大きさの開口とする。
【００１７】
そして、本発明は、前記空気取入口は、空気循環通路の空気の流れと略平行に配置する。
【００１８】
さらに、本発明は、前記空気送出口は、空気循環通路の空気の流れに対して、所定の角度、傾斜して設けられるものとする。
【００１９】
そしてさらに、本発明は、前記遮蔽部の上流側に配置された空気取入口と、前記遮蔽部の下流側に配置された空気吹出口を備えるカバーにより、空気循環通路と分岐するものとする。
【００２０】
また、本発明は、送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成するとともに、吹出口から吹出される風向を変更するための複数のルーバーを備えた空気調和機において、前記複数のルーバーを一度の動作で前記空気調和機から取り外し可能とするために、前記複数のルーバーを一体的に保持するルーバー装着部を、前記吹出口に着脱自在に形成し、前記吹出口の近傍には、前記空気循環通路を分岐して設けられる第２通路と、該第２通路に臨んで配置されるイオンを発生するイオン発生装置とを設け、前記第２通路は、前記第２通路と前記空気循環通路を離間するとともに前記イオン発生装置のイオン発生部と対向する部分に設けられた遮蔽部と、該遮蔽部より空気の流れの上流側に設けられ且つ異物が侵入しない程度の大きさの開口からなる空気取入口と、遮蔽部より空気の流れの下流側に設けられ且つ異物が侵入しない程度の大きさの開口からなる空気送出口とを備えるカバーによって前記空気循環通路と離間するものとし、前記ルーバー装着部の前記カバーに対向する個所は、遮蔽部、空気取入口及び空気送出口に対応する形状とし、前記ルーバー装着部を取り外した状態においても、前記カバーは取付けられた状態で保持されるものとする。
【００２１】
【実施の形態の実施例】
以下、本発明の実施の形態について、図面を用いて説明する。図１は、本発明の実施形態における空気調和機の室内機を正面方向やや斜めから見た場合を示す概略的な斜視図であり、図２は図１の前パネル３を開いた状態にした場合を示す斜視図であり、図３は図１の本体表示装置６を拡大したの拡大図である。図４は、図１に示した室内機をＡ−Ａ断面の矢視方向で見たときの断面図である。図５は、図４の矢印Ｂに示す方向から本発明の室内機を見たときの部分外観図である。
【００２２】
室内機１の外観は、その背面、下面及び左右側面を覆う筐体である本体ケーシング２と、その正面側に設けられ内部のフィルタの汚れを視認可能とするために開閉自在に構成された前パネル３と、冷暖気を吹き出す吹出口４と、室内空気を吸い込む吸込口５と、吹出口４の上方部に運転状況を表示するため設けられる本体表示装置６とから構成されている。
【００２３】
前パネル３を開けると、図２に示すように、前パネル３に対向して配置されるフィルタ左８及びフィルタ右９が配設されている。また、フィルタ左８及びフィルタ右９は共に挿脱可能に設けられており、その挿脱方向はフィルタガイド１９（図４参照）によって制御されている。そして、フィルタ右８及びフィルタ左９の中央側の上方部には脱臭フィルター１０、１１が各々取り付けられている。
【００２４】
本体表示装置６は、図３に示すように、運転を表示する運転ランプ１２、室内の温度や室外の温度を表示する２桁のデジタル表示の温度ランプ１３、イオン発生装置の運転を表示する空清ランプ１４、タイマー運転を表示するタイマーランプ１５などを備えており、使用者に各運転の選択状況を報知可能にしている。
【００２５】
室内機１のベースとなる本体ケーシング２の正面側には、図４に示すように、室外と室内との間で熱交換するために熱交換媒体を内部に流通させ且つ当該熱交換媒体に効率良く室内の熱を伝達するための拡大伝熱面（フィン）を備える室内熱交換器１６と、室内の空気を吸い込んで室内熱交換器１６で熱交換することによって冷却又は加熱された空気を本体外に吹出すための室内ファン１７が取付けられる。
【００２６】
また、室内機１の正面側下部に設けた吹出口４には、吹出し空気の左右方向の向きを調節する縦ルーバー３５と、吹出し空気の上下方向の向きを調節する横ルーバー１８とを備えている。
【００２７】
上記の構成で、室内ファン１７を運転すると、室内の空気は吸込口５、フィルタ左８又はフィルタ右９、室内熱交換器１６、室内ファン１７、縦ルーバー３５、横ルーバ１８、吹出口４の順に空気が通過し（以下、この空気の通過通路を空気循環通路と称する）室内空気を循環させる。
【００２８】
そして、室内熱交換器１６の正面側と背面側の下方には、冷房時に室内空気に含まれている水蒸気が熱交換器１６の前面で結露して発生するドレンを受けるための正面側ドレンパン２０と背面側ドレンパン１２０が配設されており、正面側ドレンパン２０の底面は、空気循環通路のうちの室内ファン１７と吹出口４との間の上壁１２３（以下、上壁１２３と記す）を形成している。
【００２９】
そして、図５に示すように、上壁１２３の左右方向（空気調和機を室内に設置した場合の水平方向に該当する。）の略中央部には、上方向に窪んだ形状の凹部２３が設けられ、当該凹部２３にはイオン発生装置２１が装着される。
【００３０】
イオン発生装置２１の装着にかかる構成は、図６に示すように、イオン発生装置２１（図６では破線にて記載）を係止するためにイオン発生装置２１を係止する一対の係止部２５（図６では一方のみを表示しており、他方は図６に向かって紙面奥側にある）を備えた固定部材２４に、イオン発生装置２１を抱きかかえるように係止し、所定の方向に装着した後、固定部材２４を正面側ドレンパン２０にネジ等の締結手段によって固定することにより装着する。
【００３１】
このようにして取付けられたイオン発生装置２１は、イオン発生部１２１が上壁１２３に略平行であって且つ上壁１２３に対して空気循環通路側とは相対する側に所定の距離オフセットされて配置されることになる。
【００３２】
そして、図７に示すように、凹部２３の上壁１２３よりもイオン発生装置２１の配置側には、イオン発生部１２１に異物の侵入を防止するためのカバー１２４が設けられる。
【００３３】
このカバー１２４の構成は、イオン発生部１２１と所定の距離離間して対向する遮蔽部が２６と、遮蔽部２６の室内ファン１７側に設けられ空気循環通路を通過する空気をイオン発生部１２１に導くための空気取入口２７と、遮蔽部２６の室内ファン１７側とは相対する側に設けられ空気取入口２７から取り入れた空気を送出する空気送出口２８とから形成されている。
【００３４】
このようにカバー１２４が構成されているため、空気循環経路のイオン発生装置２１側には、遮蔽部２６によって空気循環経路とは分け隔てられ、空気循環経路から空気取入口２７から取入られた空気をイオン発生部１２１に導き、当該イオン発生部１２１に沿って流れた空気を空気送出口２８から空気循環経路に送出する第２通路が形成される（なお、空気循環経路のうち第２通路と分岐して空気が流れている部分を第１通路と称する）。
【００３５】
この空気取入口２７及び空気送出口２８の形状は、様々な態様が考えられその例として、室内ファン１７の運転により空気循環通路を空気が流れる方向に対して平行な複数のスリットを設けた形状、空気循環通路を空気が流れる方向に対して直角な複数のスリットを設けた形状、丸孔を複数個配列した所謂パンチング形状、角孔を複数個配列した所謂メッシュ状等が挙げられるが、いずれの例を用いるにしても、少なくともイオン発生部１２１に人間の指が届かないように、一つの口の大きさが指の入る大きさ以下であることが肝要である。
【００３６】
また、上記の例のうちでは、空気循環通路を空気が流れる方向に対して平行な複数のスリットを設けた形状とした場合が最も望ましく、このスリットの幅は一例として２ｍｍ程度が挙げられる。このような構成によると、空気循環通路の空気の流れに対して抵抗となる部分が少ないことから、室内ファン１７の圧力損失とならず、ファン効率を低下しない。また、同時に騒音の発生も小さいものとなる。
【００３７】
そして、空気取入口２７は、図７に示すように、上壁１２１と略平行に配置する。この構成によると、更にファン効率の低下及び騒音の発生を招くことがない。
【００３８】
さらに、空気送出口２８は、図７に示すように、空気循環通路を流れる風に対して、イオン発生部１２１を通過した後の風が角度を有して送出される構成とする。この構成によると、空気循環通路を流れる風にイオン発生部１２１を通過した後の空気を、空気送出口２８で混合して室内に送出することができ、より遠くまでプラスイオン及びマイナスイオンの放散が可能である。
【００３９】
また、本実施の形態にかかる室内機１は、縦ルーバ３５及び横ルーバー１８を一体的にワンタッチで着脱可能に構成している。
【００４０】
この縦ルーバー３５等をワンタッチで着脱可能とする機構について図８から図１０とともに説明する。
【００４１】
図８に示すように、縦ルーバ３５を軸３０ｂに対して回動自在に保持するとともに、横ルーバー１８を軸３０ａに対して回動自在に保持するルーバー装着部２９の上面２９ａを、正面側ドレンパン２０の上壁１２３に沿う形状とし、その下部には後述する軸３７に回動自在に係止し得るフック２９ｂを形成する。
【００４２】
また、ルーバー装着部２９には、図１０に示すように、ルーバー装着部２９を室内機１に装着した状態で正面側ドレンパン２０に固定するためのＬ字状の頭部３４ａとアーム部３４ｂとを備えた係止片３４と、該係止片３４がスライド自在に挿入される係止片挿入穴３０とを設けておく。
【００４３】
そして、本体ケーシング２の吹出口４側の端部に前記フック２９と回動自在に係合する軸３７を設けておき、更には、正面側ドレンパン２０を室内機１に装着した状態において正面側ドレンパン２０の正面側となる面の一部に、前記係止片３４のアーム部３４ｂを挿通可能に形成された鍵穴状の被係止穴２０ａを設けておく。
【００４４】
ルーバー装着部２９を室内機側に嵌め込むときは、まず、フック３１を軸３７に挿嵌する。次に、軸３７を支点にしてルーバー装着部２９を図９の矢印Ｄの方向に回転させる。それにより、ルーバー装着部２９は、吹出口４に嵌め込まれ、上面２９ａを上壁１２３に沿って配置する。このとき、係止片３４はルーバー装着部２９の回動動作とともに回動して、アーム部３４ａが被係止穴２０ａの鍵穴状に案内されて挿通される。
【００４５】
この状態で、頭部３４ａを持って一定の方向にスライドすると、図１０（ｂ）に示すように係止片３４は正面側ドレンパン２０とルーバー装着部２９とを狭持する。これによって、ルーバー装着部２９は正面側ドレンパン２０に固定される。
【００４６】
そして、ルーバー装着部２９を正面側ドレンパン２０から取り外すときは、上記の係止方向とは逆方向に係止片３４をスライドさせた後に、ルーバー装着部２９を図９の矢印Ｄとは逆方向に回動させることにより脱着する。
【００４７】
以上のような構成で、ルーバー装着部２９は正面側ドレンパン２０に着脱自在な構成となる。
【００４８】
なお、この着脱機構は、通常、空気調和機の幅方向に複数設けられる。室内機１は幅方向（左右方向）に長い構成が一般的であり、着脱自在なルーバー装着部２９を安定的に正面側ドレンパン２０に装着するためである。
【００４９】
上記のような構成で、ルーバー装着部２９は正面側ドレンパン２０に着脱自在とされるわけであるが、このルーバー装着部２９を正面側トレンパン２０に装着した状態において、ルーバー装着部２９のうち、前記空気送出口２８に対向する個所は空気送出口２８と同様の開口形状とし、空気取入口２７の前記空気取入口２７に対向する個所は空気取入口２７の開口を塞がないように成形部材を設けない構成とし、遮蔽部２６と対向する個所は遮蔽部２６と同様の遮蔽形状としておく。これにより、第２通路４１は２重に保護される構成となる。
【００５０】
当該構成によると、正面側ドレンパン２０から、ルーバー装着部２９を外したときでも、更に内側に遮蔽部２６等がイオン発生部１２１を覆っていることから、使用者がイオン発生部１２１に触れるようなことが無く、安全性が向上する。
【００５１】
次に、イオン発生装置２１の構成について説明する。イオン発生装置２１は、図１１、図１２に示すように、ケース本体５２、コイル５４や駆動回路や接続端子を搭載した基板５１、ケースカバー５３及びイオン発生素子２２とから構成されている。
【００５２】
ケース本体５２は、箱状で一方が開口状態の形状で、側面には制御回路用接続端子が複数個形成し、端子ピッチは異なるようにしている。
【００５３】
また、ケース本体５２の内部はコイル５４が挿入される部分とコイル以外とに壁によって分割された形状で、開口部の周辺部には複数の係止止めが形成されている。
【００５４】
ケースカバー５３には、イオン発生素子２２を装着するための長方形状の凹部が設けられており、該凹部の底面にはイオン発生素子２２のイオン発生部１２１とは相対する側の面に設けられる電極部にリード線をとりつけるための貫通穴が形成されている。また、この貫通穴の周辺部にイオン発生素子２２と基板５１とを繋ぐリード線を巻き付けるための巻付部５６をＬ字状に形成している。
【００５５】
そして、基板５１には、駆動回路を構成する昇圧コイル５４、コンデンサ、サーミスタなどと、イオン発生素子２２のリード線接続部と、制御回路用接続端子と、コイル５４の上方に相当する部分に穴部５５とが形成されている。
【００５６】
ケース本体５２にコイル５４を装着した後、基板５１を取り付け、その後、前記穴部５５よりウレタン樹脂又はエポキシ樹脂といった絶縁材を充填することによってコイル５４は絶縁される。
【００５７】
そして、ケースカバー５３の前記穴部５５と対向する位置にも穴部５７が設けられ、当該穴部５７からウレタン樹脂又はエポキシ樹脂といった絶縁材を更に充填することによって、基板５１とイオン発生素子２２との間も絶縁され、更には巻付部５６に巻き付けられたリード線も充填された樹脂によって固定される。
【００５８】
次に、イオン発生素子２２の構成について説明する。イオン発生装置２１に取付けるイオン発生素子２２は、図１２から図１４に示すような構造をしている。
【００５９】
誘電体６１は例えば、幅１５ｍｍ×長さ３７ｍｍ×厚み０．９ｍｍの直方体状をしており、その上面（上面とは、幅×長さが面積となる面の一方を云う。）と内部とに電極が設けられる。
【００６０】
この電極の構成は、誘電体６１の上面と平行でかつ厚み方向の中心付近に約６ｍｍ×２４ｍｍの帯状に内部電極６２を形成し、そして、誘電体６１の上面に幅方向の中心線を対称軸として線対称な形状の幅約１０．８ｍｍ×長さ約．６ｍｍの格子状の表面電極６３を設けた構成である。
【００６１】
そして、誘電体の下面には、表面電極６３に接続する表面電極接点６４と、内部電極６２に接続される内部電極接点６５が設けられる。前記表面電極接点６４は、図１３に示すように、一端が表面電極６３に導通され他端が誘電体６１の上面の前記表面電極接点６４と対向する位置に有り且つ電極間距離より長く形成された上面導通部６６と、該上面導通部６６の他端と表面電極接点６３とを導通する表面電極用縦断導通部６７によって、表面電極６３と導通している。
【００６２】
さらに、内部電極接点６５は、誘電体６１の下面であって内部電極６２と対向する任意の個所に設けている。そして、内部電極接点６５は内部電極６２と内部電極用縦断導通部６８により導通している。また、表面電極接点６４と内部電極接点６５の距離は電極間距離より遠く形成する。
【００６３】
次に上記のイオン発生素子２２の製造方法について説明すると、まず、厚さ０．４５ｍｍの純度の高いアルミナのシートを所定の大きさ（上記の例でいうと、幅１５ｍｍ×長さ３７ｍｍ）に切断し、二つの略同一の大きさを有するアルミナの基材を形成する。なお、アルミナの純度は９０％以上であれば良いが、ここでは９２％の純度のアルミナを用いている。
【００６４】
次に、二つのアルミナの基材のうちの一方の上面に、格子状にタングステンをスクリーン印刷して表面電極６３及び上面導通部６６をアルミナの基材の表面に一体に形成して上部誘電体６９を作成する。そして、他のアルミナの基材の上面に帯状にタングステンをスクリーン印刷して内部電極６５をアルミナの基材の表面に一体に形成し、アルミナ基材の下面に表面電極接点６３及び内部電極接点６５をスクリーン印刷して形成し下部誘電体７０を作成する。
【００６５】
さらに、上部誘電体６９の表面に、アルミナのコーティング層７１を形成して、表面電極６３を絶縁コートする。そして、上部誘電体６９の下面と下部誘電体７０の上面を重ね合わせた後、圧着、真空引きをし、さらにこれらを炉に入れて１４００〜１６００℃の非酸化性雰囲気で焼成する。この様にして製造することにより、本発明に示すようなイオン発生素子を容易に製造することが可能である。
【００６６】
次に、上記の例のように形成したイオン発生素子２２に電圧を印加した場合について説明する。
【００６７】
上記の例のイオン発生素子２２の表面電極６３をグランド電位とし、内部電極６２に電圧を印加する構成とすべく、別途に設ける回路等（不図示）のグランド電位と表面電極接点とをリード線で接続し、また内部電極接点と電圧印加手段（不図示）とをリード線で接続してイオン発生装置を形成する。そして、電圧印加手段を動作させ表面電極６３と内部電極６２との間に交流高電圧を印加することにより、プラスイオンとマイナスイオンが発生する。
【００６８】
なお、上記の室内機１を運転するために用いられるリモコン７は、図１５に示すように、運転状態を表示するリモコン表示部８１、空気調和機を自動運転する『自動』ボタン８２、暖房運転する『暖房』ボタン８３、冷房運転する『冷房』ボタン８４、除湿運転する『除湿』ボタン８５、室内温度を設定する温度ボタン８６、イオン発生装置の運転の入／切をする『空清』ボタン８７、運転を停止する『停止』ボタン８８などから構成される。
【００６９】
リモコン７の操作に伴う空気調和機の運転動作を説明する。上記の『自動』ボタン８２を押すと、室内機１の本体表示装置６に『運転』ランプ１２が点灯し、室内温度が温度ランプ１３にデジタル表示でされ、リモコン表示部８１には、自動、風量、風向などを表示する。また、『暖房』ボタン８３を押すと、本体表示装置６に『運転』ランプ１２が点灯し、室内温度が温度ランプ１３にデジタル表示され、リモコン表示部８１には、暖房、風量、風向、温度などを表示する。
【００７０】
運転を停止するときには、『停止』ボタン８８を押すと、本体表示装置６の運転ランプ１２が消え、運転が停止する。
【００７１】
温度を変えたいときには、例えば１℃上げたいときには、『温度』ボタン８６の『△』スイッチを一回押すと、設定温度が１℃変わり、暖房・冷房運転モードのときは、リモコン表示部８１と本体表示装置６に設定温度が表示される。また、自動・除湿運転モードの時には、リモコン表示部８１に上げたい温度分だけの温度が表示され、本体表示装置６に設定温度が表示される。
【００７２】
そして、冷房運転時には、圧縮機４４から凝縮されて高温状態になっている熱交換媒体が、室外機４３の室外熱交換器４５に送られる。この室外熱交換器４５では、外気が室外ファン４６の動作により室外の空気を室外熱交換器４５に流通させることによって室外熱交換器４５は冷却され、このとき同時に熱交換媒体は熱を奪われ液化する。熱交換媒体はその後、膨張弁４６を通過して膨張することにより低温となり室内機１の室内熱交換器１６に導入される。
【００７３】
このようにして低温となった室内熱交換器１６に、室内ファン１７の動作により室内の空気を室内熱交換器１６に流通させることによって、室内の空気は冷やされ、室内の冷房がおこなわれる。熱交換媒体は室内熱交換器１６で加熱され大部分が気化した後、再び圧縮機へと送られる。
【００７４】
室内の暖房は、熱交換媒体の循環経路を上記の冷房運転とは逆に循環して構成されるものであり、既存の技術であるため、詳細は省略する。
【００７５】
イオン発生装置２１は、空気調和機が運転を開始し、『空清』ボタン８７を押して運転を指示すると、イオン発生装置２１の駆動回路には交流高電圧が印加され、プラスイオンとしては、Ｈ+（Ｈ2Ｏ）n、マイナスイオンとして、Ｏ2-（Ｈ2Ｏ）mが主に生成される。
【００７６】
そして、発生したプラスイオンとマイナスイオンは、吸込口５から吸込まれた室内の空気が室内ファン１７の運転によって第２通路４１に送られてくると、その空気流に混入し、該空気流はプラスイオンとマイナスイオンを含んだ空気となって、第２通路４１の出口である空気送出口２８から送出されて、空気循環経路を通過する空気と合流し、吹出口４より室内に吹出される。
【００７７】
このプラスイオンとマイナスイオンを含んだ室内循環空気は、プラスイオン若しくはマイナスイオン単独では、空気中の浮遊細菌に対し格別な効果ないが、両イオンがともに細菌の表面に付着すると、化学反応して活性種である過酸化水素Ｈ2Ｏ2または水酸基ラジカル・ＯＨを生成する。これらの過酸化水素Ｈ2Ｏ2または水酸基ラジカル・ＯＨは、極めて強力な活性を示すため、空気中の浮遊細菌は死滅してしまうため、本構成によって空気中の浮遊細菌を除去することができる。
【００７８】
【発明の効果】
本発明は、送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成した空気調和機において、前記吹出口の近傍で前記空気循環通路と分岐する第２通路を設け、該第２通路にイオンを発生するイオン発生装置を配設する構成を備えることにより、イオンの送出に適当な量の風を前記空気循環通路からイオン発生部に送りこむことができ、それによって、適量のイオンを安定して送出することができる。
【００７９】
そして、本発明は、前記イオン発生装置のイオン発生部は前記第２通路に臨むように配設するとともに、前記第２通路に空気を取り入れる空気取入口を異物が侵入しない程度の大きさの開口とする。これにより、イオン発生部に異物が侵入することを防止できることから、イオン発生部が異常放電するようなことがなく、更には、人が指を近付けても安全である。
【００８０】
さらに、本発明は、前記イオン発生装置のイオン発生部は前記第２通路に臨むように配設し、前記第２通路に空気を取り入れる空気取入口を、異物が侵入しない程度の大きさを有し、且つ空気循環通路を空気が流れる方向に対して平行な複数のスリットにより構成するものとする。このように構成すると、イオン発生部に異物が侵入することを防止できることから、イオン発生部が異常放電するようなことがなく、更には、人が指を近付けても安全であり、又更に、空気取入口での騒音の発生が防止される。
【００８１】
また、本発明は、前記第２通路から空気を送出する空気送出口を異物が侵入しない程度の大きさの開口とする。これにより、イオン発生部に異物が侵入することを防止できることから、イオン発生部が異常放電するようなことがなく、更には、人が指を近付けても安全である。
【００８３】
そして、本発明は、前記空気取入口は、空気循環通路の空気の流れと略平行に配置する。
【００８４】
さらに、本発明は、前記空気送出口は、空気循環通路の空気の流れに対して、所定の角度、傾斜して設けられるものとする。これにより、空気循環通路を流れる空気にイオン発生部から送出されるプラスイオン及びマイナスイオンを十分に混合してから室内に放散することができ、非常に幅広い個所での室内の殺菌効果を得ることができる。
【００８５】
そしてさらに、本発明は、前記第２通路は、前記イオン発生装置のイオン発生部と対向する部分に遮蔽部を備えるとともに、前記遮蔽部の上流側に配置された空気取入口と、前記遮蔽部の下流側に配置された空気吹出口を備えるカバーにより、空気循環通路と分岐するものとする。この構成によると、スリット状の開口部をイオン発生素子面よりずらしたことにより、空気の流れが素子面の上流より入り、下流で放出されるので、空気への混ざりがよく、また、直接異物が接触しなくなる。
【００８６】
また、本発明は、送風機と、前記送風機で室内の空気を吸込み、吸込んだ空気で熱交換する熱交換器とを備え、吸込口より吸込んだ空気を熱交換器で熱交換して吹出口から吹き出す空気循環通路を形成するとともに、吹出口から吹出される風向を変更するための複数のルーバーを備えた空気調和機において、前記複数のルーバーを一度の動作で前記空気調和機から取り外し可能とするために、前記複数のルーバーを一体的に保持するルーバー装着部を、前記吹出口に着脱自在に形成し、前記吹出口の近傍には、前記空気循環通路を分岐して設けられる第２通路と、該第２通路に臨んで配置されるイオンを発生するイオン発生装置とを設け、前記第２通路は、前記第２通路と前記空気循環通路を離間するための遮蔽部と、該遮蔽部より空気の流れの上流側に設けられ且つ異物が侵入しない程度の大きさの開口からなる空気取入口と、遮蔽部より空気の流れの下流側に設けられ且つ異物が侵入しない程度の大きさの開口からなる空気送出口とを備えるカバーによって前記空気循環通路と離間するものとし、前記ルーバー装着部の前記カバーに対向する個所は、遮蔽部、空気取入口及び空気送出口に対応する形状とし、前記ルーバー装着部を取り外した状態においても、前記カバーは取付けられた状態で保持されるものとする。この構成によると、吹出口近傍にあるイオン発生装置が２重に保護されているため、ルーバー装着部を外したときでもイオン発生部が露出せず安全に使用ができる。
【図面の簡単な説明】
【図１】本発明の第1の実施の係る空気調和機の本体斜視図である。
【図２】図１の前パネルの開口状態の本体斜視図である。
【図３】図１の本体表示部の概略図である。
【図４】図１の本体のＡ−Ａ断面図である。
【図５】図４の矢印Ｂに示す方向から本発明の室内機を見たときの部分外観図である。
【図６】図１の本体のドレンパンとイオン発生装置の取付図である。
【図７】図５のイオン発生装置近傍の拡大図である。
【図８】図５のルーバー装着部の概略図である。
【図９】図５のルーバー装着部の装着取付図である。
【図１０】図５のルーバー装着部の係止部の拡大図である。
【図１１】図３のイオン発生装置の斜視図である。
【図１２】図１０のイオン発生装置の分解図である。
【図１３】図１０のイオン発生装置のイオン発生素子の概略図である。
【図１４】図１２のイオン発生素子のＢ−Ｂ断面図である
【図１５】図１２のイオン発生素子のＣ−Ｃ断面図である
【図１６】図１のリモコンの概略図である。
【図１７】図１の空気調和機の概略図である。
【符号の説明】
１  室内機
２  本体ケーシング
３  前パネル
４  吹出口
５  吸込口
６  本体表示装置
７  リモコン
８  フィルター左
９  フィルター右
１６  室内熱交換器
１７  室内ファン
２１  イオン発生装置
２６  遮蔽部
２９  ルーバー装着部
４２  第２通路
【図１】
0003850251.tif 000002
【図２】
0003850251.tif 000003
【図３】
0003850251.tif 000004
【図４】
0003850251.tif 000005
【図５】
0003850251.tif 000006
【図６】
0003850251.tif 000007
【図７】
0003850251.tif 000008
【図８】
0003850251.tif 000009
【図９】
0003850251.tif 000010
【図１０】
0003850251.tif 000011
【図１１】
0003850251.tif 000012
【図１２】
0003850251.tif 000013
【図１３】
0003850251.tif 000014
【図１４】
0003850251.tif 000015
【図１５】
0003850251.tif 000016
【図１６】
0003850251.tif 000017
【図１７】
0003850251.tif 000018